(57)【特許請求の範囲】
【請求項１】
リム部が上端部に形成される便鉢部と、
前記リム部の外周側に形成される便器本体の左右一方側の第１リム通水路と、
前記リム部の外周側に形成される便器本体の左右他方側の第２リム通水路と、
前記第１リム通水路内から前記便鉢部内に吐水するための第１リム吐水孔と、
前記第２リム通水路内から前記便鉢部内に吐水するための第２リム吐水孔と、
前記便鉢部の底部、又は、該底部に接続される排水通路部に形成される吐出孔と、
前記第１リム通水路と前記吐出孔を連通する連通路と、を備え、
前記第１リム吐水孔は、前記第１リム通水路の始端側より終端側に向かう経路の途中位置から分岐して形成され、
前記連通路の水導入口は、前記第１リム吐水孔より前記第１リム通水路の終端側に開口することを特徴とする水洗大便器。
【請求項２】
前記第１リム通水路には、前記第１リム吐水孔と前記水導入口の間に、洗浄水の流れを絞るための絞り部が形成されることを特徴とする請求項１に記載の水洗大便器。
【請求項３】
前記水導入口は、前記第１リム吐水孔より低位置に少なくとも一部が配置されることを特徴とする請求項１または２に記載の水洗大便器。
【請求項４】
前記水導入口は、前記第１リム吐水孔より低位置に少なくとも一部が配置され、
前記絞り部は、前記第１リム通水路の内底面上を伝わる残留水を、前記第１リム吐水孔側から前記水導入口側に向けて導水可能な形状であることを特徴とする請求項２に記載の水洗大便器。
【請求項５】
前記第１リム通水路の内底面には、前記第１リム吐水孔から奥側に向かうにつれて下り傾斜となる勾配が設けられることを特徴とする請求項３または４に記載の水洗大便器。
【請求項６】
前記絞り部は、該絞り部に対して始端側の水路部分と、該絞り部に対して終端側の水路部分との間で、これらの上側領域を通る流体の流れを遮る壁部分を有することを特徴とする請求項２または４に記載の水洗大便器。
【請求項７】
前記第１リム吐水孔は、前記便器本体の左右一方側に配置され、
前記水導入口は、前記便器本体の左右一方側にて前記第１リム吐水孔より該便器本体の前方側に配置されることを特徴とする請求項１から６のいずれかに記載の水洗大便器。
【発明の詳細な説明】
【技術分野】
【０００１】
本発明は、水洗大便器に関する。
【背景技術】
【０００２】
大便器の便鉢部には、洗浄水を吐き出すための開口として、リム吐水孔の他にジェット吐出孔が形成されることがある。リム吐水孔は、便鉢部のリム部に形成され、リム吐水孔から吐き出される洗浄水により便鉢部全体が洗浄される。ジェット吐出孔は、便鉢部の底部等に形成され、ジェット吐出孔から吐き出される洗浄水により、汚物の排出を促進するための水流が形成される。
【０００３】
例えば、特許文献１の図１には、リム部の外周側にリム通水路を形成し、リム通水路の途中位置から分岐するジェット用連通路を形成した便器が開示されている。この便器では、リム通水路に供給される洗浄水を、リム吐水孔から吐き出すとともに、ジェット用連通路を通してジェット吐出孔から吐き出す構造となっている。
【先行技術文献】
【特許文献】
【０００４】
【特許文献１】特開２００８−４５２７６号公報
【発明の概要】
【発明が解決しようとする課題】
【０００５】
ところで、特許文献１の便器では、リム通水路の始端側から終端側に向かう経路の途中位置にジェット用連通路の水導入口が開口している。よって、リム通水路内の洗浄水はジェット用連通路に流れ方向を変えずにリム吐水孔に向けて流れ易くなっている。このため、リム通水路からジェット用連通路に洗浄水を取り込み難く、ジェット吐出孔から吐き出される洗浄水の勢いが弱いという問題点がある。
【０００６】
これを改善するため、特許文献１の図５のように、リム部の外周側に左右二つのリム通水路を形成し、一方のリム通水路にはリム吐水孔を形成し、他方のリム通水路はジェット用連通路に連通する構造にすることも考えられる。
【０００７】
ここで、洗浄態様の自由度を高めるため、リム部に複数のリム吐水孔を形成し、二つのリム通水路のそれぞれに供給される洗浄水を、別々のリム吐水孔から吐き出すように構成することがある。特許文献１の便器は、リム部に単数のリム吐水孔しか形成されておらず、このような複数のリム吐水孔がある場合を想定したものではない。また、特許文献１の便器は、このような複数のリム吐水孔を設けつつ、ジェット吐出孔から勢いよく洗浄水を吐き出せるように工夫したものでもない。
【０００８】
本発明は、このような課題に鑑みてなされ、その目的は、左右のリム通水路を通してリム吐水孔から洗浄水を吐き出しつつ、吐出孔から勢いよく洗浄水を吐き出せる水洗大便器を提供することにある。
【課題を解決するための手段】
【０００９】
上記課題を解決するための本発明のある態様は水洗大便器である。水洗大便器は、リム部が上端部に形成される便鉢部と、前記リム部の外周側に形成される便器本体の左右一方側の第１リム通水路と、前記リム部の外周側に形成される便器本体の左右他方側の第２リム通水路と、前記第１リム通水路内から前記便鉢部内に吐水するための第１リム吐水孔と、前記第２リム通水路内から前記便鉢部内に吐水するための第２リム吐水孔と、前記便鉢部の底部、又は、該底部に接続される排水通路部に形成される吐出孔と、前記第１リム通水路と前記吐出孔を連通する連通路と、を備え、前記第１リム吐水孔は、前記第１リム通水路の始端側より終端側に向かう経路の途中位置から分岐して形成され、前記連通路の水導入口は、前記第１リム吐水孔より前記第１リム通水路の終端側に開口することを特徴とする。
【００１０】
この態様によれば、第１リム通水路の終端部まで流れ込んだ洗浄水は、そこから流れ方向を変えるしかなく、その近傍にある水導入口に流れ方向を変えて導入され易くなる。よって、第１リム通水路から連通路に洗浄水を取り込み易くなり、高水圧の洗浄水を吐出孔から吐き出し易くなる。この結果、左右のリム通水路に洗浄水を供給して複数のリム吐水孔から洗浄水を吐き出しつつ、吐出孔から勢いよく洗浄水を吐き出せるようになる。
【発明の効果】
【００１１】
本発明によれば、左右のリム通水路を通してリム吐水孔から洗浄水を吐き出しつつ、吐出孔から勢いよく洗浄水を吐き出せる水洗大便器を提供できる。
【図面の簡単な説明】
【００１２】
【図１】実施形態に係る水洗大便器の平面図である。
【図２】図２は図１のＡ−Ａ線断面図である。
【図３】図２のＢ−Ｂ線断面図である。
【図４】図３の左リム通水路の拡大図である。
【図５】図４のＤ−Ｄ線断面図である
【図６】図４のＥ−Ｅ線断面図である。
【図７】本実施形態に係る各リム通水路の内底面に形成される勾配を模式的に示す図である。
【図８】図８（ａ）は第１変形例に係る左リム通水路を示す図であり、図８（ｂ）は絞り部に関する説明図である。
【図９】図５の絞り部に関する説明図である。
【図１０】第２変形例に係る絞り部を示す図である。
【発明を実施するための形態】
【００１３】
以下、実施形態、変形例では、同一の構成要素に同一の符号を付し、重複する説明を省略する。また、各図面では、説明の便宜のため、構成要素の一部を適宜省略する。
【００１４】
図１は本実施形態に係る水洗大便器１０の平面図である。
水洗大便器１０は、陶器を素材とする便器本体１２を備える。便器本体１２は、トイレ室の側壁面１００に掛けた状態で取り付けられる壁掛け型便器である。
【００１５】
図２は図１のＡ−Ａ線断面図である。
便器本体１２は、便器本体１２の前部に形成される便鉢部１４と、便鉢部１４の底部に接続される排水通路部１６と、を備える。排水通路部１６は、便鉢部１４内から下水側水路（不図示）に排出される汚物の通り道となる。排水通路部１６は、通水方向の空気の流れを遮断するための封水１８が貯められるトラップ部２０を備える。トラップ部２０の下流端部には接続管１０２が接続され、排水通路部１６は接続管１０２を介して下水側水路に接続される。
【００１６】
図３は図２のＢ−Ｂ線断面図である。
便鉢部１４は、図２、図３に示すように、汚物を受けるための鉢状の受け面部２２と、受け面部２２の下縁部から下方に窪むとともに便鉢部１４の底部に形成される凹部２４と、便鉢部１４の上端部に形成されるリム部２６と、を備える。受け面部２２は、平面視にて左右寸法より前後寸法が大きくなるような楕円状に形成される。凹部２４の底面部には排水通路部１６の入口１６ａが開口し、凹部２４には封水１８の一部が溜水２８として貯められる。
【００１７】
便器本体１２は、図３に示すように、洗浄水を吐き出すための吐水部３０を備える。吐水部３０は、リム部２６の外周側に形成される二つのリム通水路３２Ｌ、３２Ｒと、各リム通水路３２Ｌ、３２Ｒのそれぞれに洗浄水を供給するための共通通水路３４（図２も参照）と、リム部２６に形成される二つのリム吐水孔３６Ｌ、３６Ｒと、を有する。また、吐水部３０は、便鉢部１４の凹部２４に形成されるジェット吐出孔３８と、ジェット吐出孔３８に洗浄水を供給するためのジェット用連通路４０と、を有する。水洗大便器１０は、リム通水路３２Ｌに主な特徴の一つがあるが、先に吐水部３０の他の特徴から説明する。
【００１８】
二つのリム通水路３２Ｌ、３２Ｒには、便器本体１２の左右一方側となる左側の左リム通水路３２Ｌ（第１リム通水路）と、便器本体１２の左右他方側となる右側の右リム通水路３２Ｒ（第２リム通水路）とが含まれる。左リム通水路３２Ｌは、図１に示すように、便器本体１２の左右中心線ＣＬに対して左側に配置される。右リム通水路３２Ｒは、便器本体１２の左右中心線ＣＬに対して右側に配置される。この左右中心線ＣＬとは、便器本体１２の外面部分の左右寸法を二等分して前後方向に沿って延びる直線をいう。
【００１９】
図３に戻り、各リム通水路３２Ｌ、３２Ｒは共通通水路３４の下流端部から左右に分岐して形成される。各リム通水路３２Ｌ、３２Ｒの分岐元になる分岐位置４２はリム部２６の後方に配置される。共通通水路３４には、図２に示すように、洗浄水供給装置１０４の一部となる送水管１０４ａから洗浄水が供給される。
【００２０】
左リム通水路３２Ｌは、分岐位置４２側の始端部３２ａから周方向の一方側（図３中の時計回り方向）に延びるように形成される。左リム通水路３２Ｌの延び方向の末端位置にある終端部３２ｂは行き止まりとなるように形成される。左リム通水路３２Ｌの詳細は後述する。
【００２１】
右リム通水路３２Ｒは、始端側となる分岐位置４２から周方向の他方側（図３中の反時計回り方向）に延びるように形成される。右リム通水路３２Ｒの延び方向の末端位置となる終端部には右リム吐水孔３６Ｒが形成される。以下、「周方向の一端側」を時計回り方向といい、「周方向の他端側」を反時計回り方向という。
【００２２】
二つのリム吐水孔３６Ｌ、３６Ｒには、便器本体１２の左側の左リム吐水孔３６Ｌ（第１リム吐水孔）と、便器本体１２の右側のリム吐水孔３６Ｒ（第２リム吐水孔）とが含まれる。左リム吐水孔３６Ｌは、図１に示すように、便器本体１２の左右中心線ＣＬに対して左側であって、便鉢部１４の後部に配置される。右リム吐水孔３６Ｒは、便器本体１２の左右中心線ＣＬに対して右側であって、便鉢部１４の前後方向での中間位置に配置される。
【００２３】
図３に戻る。左リム吐水孔３６Ｌは、左リム通水路３２Ｌから便鉢部１４内に吐水するためのものである。右リム吐水孔３６Ｒは、右リム通水路３２Ｒから便鉢部１４内に吐水するためのものである。二つのリム吐水孔３６Ｌ、３６Ｒからは、リム部２６の内周面に沿って反時計回り方向に洗浄水が吐き出される。これにより、便鉢部１４の内面、特に、リム部２６や受け面部２２の内面を洗浄するための水流が形成される。この水流は、便鉢部１４内を反時計回り方向に旋回するように導かれる旋回流となる。
【００２４】
ジェット吐出孔３８は、便鉢部１４の凹部２４の左側かつ前側の壁面に形成される。ジェット吐出孔３８からは便鉢部１４の凹部２４内の溜水２８（図２参照）に向けて洗浄水が吐き出される。詳しくは、便鉢部１４の凹部２４の溜水２８に向けて、凹部２４の内周面に沿うように反時計回り方向に洗浄水が吐き出される。これにより、便鉢部１４の凹部２４内に反時計回りの旋回流が形成され、この旋回流により凹部２４内の汚物が旋回中心に集められる。この汚物は、受け面部２２上から凹部２４内に流れ込む洗浄水によって、排水通路部１６内に入口１６ａを通して押し流される。このように、ジェット吐出孔３８から吐き出される洗浄水により、汚物の排出を促進するための水流が溜水２８に形成される。
【００２５】
ジェット用連通路４０は、左リム通水路３２Ｌとジェット吐出孔３８を連通する。ジェット用連通路４０は、左リム通水路３２Ｌからジェット吐出孔３８にかけて順に設けられる、第１部分４０ａ、第２部分４０ｂ及び第３部分４０を有する。第１部分４０ａは、左リム通水路３２Ｌの内壁面に開口する水導入口４０ｄ（後述する）から下方かつ便鉢部１４の径方向内側に向かって延びる。第２部分４０ｂは、便鉢部１４の外周側にて、第１部分４０ａの下流端部から時計回り方向かつ下方に向かって曲がりながら延びる。第３部分４０ｃは、第２部分４０ｂの下流端部からジェット吐出孔３８に向かって後方に延びる。
【００２６】
図４は図３の左リム通水路３２Ｌの拡大図である。
左リム通水路３２Ｌは、始端部３２ａから終端部３２ｂに向けてＬ字状に曲がりながら延びる形状である。左リム通水路３２Ｌに始端部３２ａから供給される洗浄水は、左リム通水路３２Ｌの内壁面に当たることで流れ方向を変えつつ終端部３２ｂまで誘導される。このように左リム通水路３２Ｌは、始端側から終端側に向けて洗浄水を誘導可能に形成される。
【００２７】
左リム吐水孔３６Ｌは、左リム通水路３２Ｌの始端側より終端側に向かう経路Ｐａの途中位置から分岐して形成される。左リム吐水孔３６Ｌは、この途中位置から便鉢部１４の内側、かつ、反時計回り方向に延びるように形成される。
【００２８】
ジェット用連通路４０内に洗浄水を導入するための水導入口４０ｄは、左リム吐水孔３６Ｌより左リム通水路３２Ｌの終端側に開口する。詳しくは、水導入口４０ｄは、左リム通水路３２Ｌの終端部３２ｂの内底面に開口する。また、この水導入口４０ｄは、便器本体１２の左側にて左リム吐水孔３６Ｌより便器本体１２の前方側に配置される。
【００２９】
左リム通水路３２Ｌに始端側から供給される洗浄水は、左リム通水路３２Ｌに誘導されることにより、左リム吐水孔３６Ｌより水導入口４０ｄ側にある水路部分に先に流れ込む。左リム吐水孔３６Ｌより水導入口４０ｄ側の水路部分が洗浄水で満たされはじめると、洗浄水の一部は、左リム通水路３２Ｌの始端側から終端側に向かう途中で流れ方向を変えて左リム吐水孔３６Ｌに流入する（方向Ｐｂ参照）。このように左リム吐水孔３６Ｌは、左リム通水路３２Ｌの始端側から供給される洗浄水が流れ方向を変えることで流入可能な位置に形成される。
【００３０】
図５は図４のＤ−Ｄ線断面図であり、図６は図４のＥ−Ｅ線断面図である。
左リム通水路３２Ｌには、図４〜図６に示すように、左リム吐水孔３６Ｌと水導入口４０ｄの間に絞り部４４が形成される。図４では絞り部４４の位置を二点鎖線で示す。
【００３１】
絞り部４４は、左リム通水路３２Ｌの始端側から終端側に向かう洗浄水の流れを絞るために形成される。絞り部４４は、左リム通水路３２Ｌの内壁面から突き出る壁部分４４ａと、洗浄水が通過可能な通水部分４４ｂと、を有する。通水部分４４ｂは、左リム通水路３２Ｌの内壁面と壁部分４４ａとにより囲まれた開口部として形成される。絞り部４４は、左リム通水路３２Ｌ内の空間が始端側から終端側に向かって狭められた後に広がるように形成される。絞り部４４は、左リム通水路３２Ｌの絞り部４４より始端側にある水路部分３２ｄ（以下、始端側水路部分３２ｄという）から、左リム通水路３２Ｌの絞り部４４より終端側にある水路部分３２ｅ（以下、終端側水路部分３２ｅという）に流れ込む洗浄水の流量を減少させる機能をもつ。
【００３２】
以上の水洗大便器１０の動作を説明する。
図２、図３に示すように、共通通水路３４には、送水管１０４ａから洗浄水が供給される。送水管１０４ａから洗浄水が供給されると、共通通水路３４の分岐位置４２から各リム通水路３２Ｌ、３２Ｒに洗浄水が分岐して供給される（図３の方向Ｗｐ参照）。右リム通水路３２Ｒを流れる洗浄水は右リム吐水孔３６Ｒから吐き出される。左リム通水路３２Ｌを流れる洗浄水の一部は左リム吐水孔３６Ｌから吐き出され、残部はジェット用連通路４０を通してジェット吐出孔３８から吐き出される。
【００３３】
ここで、仮に、左リム通水路３２Ｌの終端部３２ｂに左リム吐水孔３６Ｌが形成され、始端側から終端側に向かう経路の途中位置にジェット用連通路４０の水導入口４０ｄが開口する場合を考える。この場合、左リム通水路３２Ｌ内を始端側から流れる洗浄水は、ジェット用連通路４０があっても流れ方向を変えずに終端部３２ｂの左リム吐水孔３６Ｌまで誘導され易くなる。よって、左リム通水路３２Ｌ内からジェット用連通路４０を通して洗浄水を取り込み難くなり、高水圧の洗浄水をジェット吐出孔３８から吐き出し難くなる。
【００３４】
（Ａ）一方、本実施形態の水洗大便器１０によれば、左リム通水路３２Ｌの終端部３２ｂまで流れ込んだ洗浄水は、そこから流れ方向を変えるしかなく、その近傍にある水導入口４０ｄに流れ方向を変えて導入され易くなる。よって、左リム通水路３２Ｌからジェット用連通路４０に洗浄水を取り込み易くなり、高水圧の洗浄水をジェット吐出孔３８から吐き出し易くなる。この結果、左右のリム通水路３２Ｌ、３２Ｒに洗浄水を供給して複数のリム吐水孔３６Ｌ、３６Ｒから洗浄水を吐き出しつつ、ジェット吐出孔３８から勢いよく洗浄水を吐き出せるようになる。
【００３５】
（Ｂ）また、左リム通水路３２Ｌには左リム吐水孔３６Ｌと水導入口４０ｄの間に絞り部４４が形成される。このため、左リム通水路３２Ｌの絞り部４４より始端側にある水路部分まで流れ込んだ洗浄水のうちの一部が、絞り部４４を通して、左リム通水路３２Ｌの絞り部４４より終端側にある水路部分に流れ込む。よって、左リム通水路３２Ｌの絞り部４４より始端側にある水路部分の方が、絞り部４４より終端側にある水路部分よりも、早期に洗浄水が満たされ易くなる。これにより、絞り部４４より始端側にある水路部分の洗浄水による水圧を早期に高めることができ、その水路部分から左リム吐水孔３６Ｌを通して高水圧の洗浄水を早期に吐き出せるようになる。この結果、一回の洗浄動作の中で、高水圧の洗浄水を左リム吐水孔３６Ｌから吐き出す時間を長くでき、それだけ便器洗浄能力や汚物排出能力を高め易くなる。
【００３６】
もともと、本実施形態の水洗大便器１０では、左リム吐水孔３６Ｌより左リム通水路３２Ｌの終端側の水路部分がある分、高水圧の洗浄水を左リム吐水孔３６Ｌから吐き出すタイミングが遅くなり易い。この場合でも、左リム吐水孔３６Ｌと水導入口４０ｄの間に絞り部４４を形成することで、高水圧の洗浄水をジェット吐出孔３８から吐き出しつつ、高水圧の洗浄水を左リム吐水孔３６Ｌから早期に吐き出せるようになる利点がある。
【００３７】
また、この他にも、絞り部４４の通水部分４４ｄの寸法調整により、左リム通水路３２Ｌの始端側から、左リム吐水孔３６Ｌ及びジェット吐出孔３８のそれぞれに分配される洗浄水の分配量を調整できるようになる。
【００３８】
次に、水洗大便器１０の他の特徴を説明する。
各リム通水路３２Ｌ、３２Ｒに残留した残留水は、すじ状の水（以下、すじ状水という）となって、各リム吐水孔３６Ｌ、３６Ｒから便鉢部１４の内面を伝って流れ落ちる場合がある。このすじ状水は、便鉢部の内面を伝う経路を不規則に変えながら流れるうえ、長期間に亘って流れ落ちることもあり、見栄えの低下を招く原因となる。以下、これを改善するための工夫点を説明する。
【００３９】
図７は各リム通水路３２Ｌ、３２Ｒの内底面に形成される勾配を模式的に示す図である。本図では高位置から低位置に向かう勾配を矢印により示す。各リム通水路３２Ｌ、３２Ｒの内底面には、各リム吐水孔３６Ｌ、３６Ｒから奥側に向かうにつれて下り傾斜となる勾配が設けられる。
【００４０】
詳しくは、左リム通水路３２Ｌの内底面には、各リム通水路３２Ｌ、３２Ｒの分岐元となる分岐位置４２側が高位置となり、ジェット用連通路４０の水導入口４０ｄが低位置となる第１勾配５０が設けられる。第１勾配５０は、左リム吐水孔３６Ｌから奥側に向かうにつれて下り傾斜となるように設けられる。右リム通水路３２Ｒの内底面には、右リム吐水孔３６Ｒが高位置となり、各リム通水路３２Ｌ、３２Ｒの分岐位置４２側が低位置となる第２勾配５２が設けられる。第２勾配５２は、右リム吐水孔３６Ｒから奥側に向かうにつれて下り傾斜となるように設けられる。なお、各リム通水路３２Ｌ、３２Ｒの分岐位置４２には下向きに窪む窪み部５４が形成される。
【００４１】
以上の勾配５２、５４により、ジェット用連通路４０の水導入口４０ｄは、各リム吐水孔３６Ｌ、３６Ｒより低位置に少なくとも一部が配置される。本実施形態に係る水導入口４０ｄは、各リム吐水孔３６Ｌ、３６Ｒより低位置に全体が配置される。
【００４２】
以上の構成の利点を説明する。洗浄水供給装置１０４からの洗浄水の供給が終了すると、各リム通水路３２Ｌ、３２Ｒ内の水は、各リム吐水孔３６Ｌ、３６Ｒの他に、左リム通水路３２Ｌの水導入口４０ｄを通してジェット用連通路４０から排出される。ここで、各リム吐水孔３６Ｌ、３６Ｒの下縁近くまで各リム通水路３２Ｌ、３２Ｒ内の水位が下がった状況を考える。この状況のとき、各リム通水路３２Ｌ、３２Ｒの内底面上に残留する残留水は、各リム吐水孔３６Ｌ、３６Ｒより低位置にある水導入口４０ｄを通してジェット用連通路４０から排出でき、各リム吐水孔３６Ｌ、３６Ｒを通して便鉢部１４内に流れる水の量を減らし易くなる。これにより、前述の状況のように各リム通水路３２Ｌ、３２Ｒ内の水位が下がったとき、各リム吐水孔３６Ｌ、３６Ｒから便鉢部１４の内面をすじ状水が流れ落ちるのを防止でき、便器洗浄に起因する便鉢部１４内の見栄えの低下を効果的に防止できる。
【００４３】
なお、ここでの「残留水」には、便器洗浄に用いられる洗浄水が残留して形成されるものが含まれる。また、この他にも、便器洗浄により溜水２８がトラップ部２０から排出された後、再び溜水２８を溜めるために供給される補給水が残留して形成されるものも含まれる。
【００４４】
また、各リム通水路３２Ｌ、３２Ｒ内の水位が下がる過程において、各リム通水路３２Ｌ、３２Ｒの内底面上の水を、第１勾配５０、第２勾配５２により、ジェット用連通路４０の水導入口４０ｄまで自重によって導き易くなる。よって、各リム通水路３２Ｌ、３２Ｒの内底面上の水をジェット用連通路４０を通して排出でき、各リム吐水孔３６Ｌ、３６Ｒを通して便鉢部１４内に流れる水の量を減らし易くなる。この結果、各リム通水路３２Ｌ、３２Ｒ内の水位が下がる過程において、各リム吐水孔３６Ｌ、３６Ｒから便鉢部１４の内面をすじ状水が流れ落ちるのをより効果的に防止でき、便器洗浄に起因する便鉢部１４内の見栄えの低下を更に効果的に防止できる。
【００４５】
ここで、図５に示すように、絞り部４４に対して左リム吐水孔３６Ｌ側（始端側）にある水路部分３６ｄを始端側水路部分３６ｄといい、絞り部４４に対して水導入口４０ｄ側（終端側）にある水路部分３６ｅを終端側水路部分３６ｅという。このとき、絞り部４４の通水部分４４ｂの底面４４ｃは、始端側水路部分３６ｄの内底面と、終端側水路部分３６ｅの内底面とを、左リム吐水孔３６Ｌ側から水導入口４０ｄ側に向かって下り傾斜の面で滑らかに連ねるように接続する。この底面４４ｃは、図６に示すように、絞り部４４の形成位置において、左リム通水路３２Ｌの水路幅方向の全幅に亘る範囲で形成される。このような絞り部４４は、左リム通水路３２Ｌの内底面上を伝わる残留水を、左リム吐水孔３６Ｌ側から水導入口４０ｄ側に向けて方向Ｐｃに導水可能な形状をもつことになる。
【００４６】
これにより、絞り部４４に対して左リム吐水孔３６Ｌ側から水導入口４０ｄ側に残留水が淀みなく流れ易くなる。よって、左リム通水路３２Ｌに絞り部４４が形成される場合でも、各リム通水路３２Ｌ、３２Ｒ内からジェット用連通路４０を通して洗浄水を排出し易くなる。この結果、各リム吐水孔３６Ｌ、３６Ｒから便鉢部１４の内面をすじ状水が流れ落ちるのを効果的に防止できる。
【００４７】
なお、このような観点から、絞り部４４の底面４４ｃは、始端側水路部分３２ｄの内底面と、終端側水路部分３２ｅの内底面とを、始端側から終端側に向かって水平に連ねるように接続するか、始端側より終端側が低位置となるように接続していればよい。いずれの場合でも、左リム通水路３２Ｌの内底面上を伝わる残留水を、左リム吐水孔３６Ｌ側から水導入口４０ｄ側に向けて導水可能な形状をもつことになる。
【００４８】
また、このような作用効果を発揮する観点から、絞り部４４の底面４４ｃは、絞り部４４の形成位置において、左リム通水路３２Ｌの水路幅方向の一部に亘る範囲で形成されていればよい。
【００４９】
ちなみに、前述のように、左リム通水路３２Ｌの内底面には、ジェット用連通路４０の水導入口４０ｄに近づくにつれて下り傾斜となる第１勾配５０（図７参照）が設けられる。よって、左リム通水路３２Ｌの終端側水路部分３６ｅ内の洗浄水に給水圧に応じた水圧が付与されたとき、その終端側水路部分３６ｅ内の洗浄水が第１勾配５０に沿って水導入口４０ｄに向けてスムーズに誘導され易くなる。この結果、左リム通水路３２Ｌからジェット用連通路４０に洗浄水を更に取り込み易くなり、高水圧の洗浄水をジェット吐出孔３８から更に吐き出し易くなる。
【００５０】
次に、水洗大便器１０の他の特徴を説明する。
図８（ａ）は第１変形例に係る左リム通水路３２Ｌを示す図である。本図では図５と同様の視点から左リム通水路３２Ｌを示す。
本例の絞り部４４は、図５の例と比べて、始端側水路部分３２ｄと、終端側水路部分３２ｅとの間で、これらの下側領域を通る流体の流れを遮るように壁部分４４ａが形成される点で異なる。なお、この水洗大便器１０でも前述の（Ａ）、（Ｂ）の作用効果を得られる。
【００５１】
このような絞り部４４がある場合、本発明者が実験的検討をしたところ、ジェット吐出孔３８から気泡が吐き出され易くなるという知見を得た。このようにジェット吐出孔３８から気泡が吐き出されると、気泡の破裂音が生じたり、見た目の面から違和感があるため、使用者に不快感を与えかねない。
【００５２】
この現象のメカニズムは明らかではないが、以下の理由によるものと推察される。前述のように、左リム通水路３２Ｌに洗浄水Ｗが供給されると、図８（ｂ）に示すように、始端側水路部分３２ｄが先に洗浄水Ｗで満たされる。このとき、終端側水路部分３２ｅには空気Ａｒが抜けずに残る場合がある。この場合、絞り部４４の通水部分４４ｂから見て終端側に空気Ａｒが存在する状態となる。よって、この状態のままで通水部分４４ｂを通して終端側水路部分３２ｅに洗浄水Ｗが流れ込むと、終端側水路部分３２ｅ内の空気Ａｒを巻き込みつつ洗浄水Ｗがジェット用連通路４０に流れ込もうとする。この巻き込まれた空気がジェット吐出孔３８から気泡として吐き出されてしまうものと推察される。
【００５３】
これに対して、図５に示すように、本実施形態に係る絞り部４４は、始端側水路部分３２ｄと終端側水路部分３２ｅとの間で、これらの上側領域を通る流体の流れを遮るように壁部分４４ａが形成される。壁部分４４ａは、図６に示すように、絞り部４４の形成位置において、左リム通水路３２Ｌの水路幅方向の全幅に亘る範囲で形成される。
【００５４】
この利点を説明する。図９に示すように、左リム通水路３２Ｌの始端側水路部分３２ｄが先に洗浄水Ｗで満たされ、終端側水路部分３２ｅに空気Ａｒが残る場合を考える。この場合、本実施形態によれば、絞り部４４の通水部分４４ｂから見て終端側には空気Ａｒではなく洗浄水Ｗが存在する状態となる。よって、この状態のままで通水部分４４ｂを通して終端側水路部分３２ｅに洗浄水Ｗが流れ込んだとしても、終端側水路部分３２ｅ内の空気が洗浄水Ｗに巻き込まれ難くなり、ジェット用連通路４０に空気が流れ込み難くなる。このため、左リム通水路３２Ｌに絞り部４４を形成した場合でも、ジェット吐出孔３８からの気泡の吐き出しを防止できる。
【００５５】
また、この他にも、前述のような絞り部４４の壁部分４４が形成されることで、左リム通水路３２Ｌ内に洗浄水が供給されたときに、左リム通水路３２Ｌの終端側水路部分３２ｅから空気Ａｒが外部に逃げずに残り易くなる。よって、絞り部４４の通水部分４４ｂを洗浄水Ｗが通ったとき、その空気Ａｒが抵抗となることで、終端側水路部分３２ｅ内に流れ込む洗浄水が広がり難くなる。この結果、洗浄水が終端側水路部分３２ｅ内で広がることによる水勢の低下を防止でき、ジェット吐出孔３８から勢いよく洗浄水を吐き出し易くなる。
【００５６】
なお、図６に示すように、絞り部４４の壁部分４４ａは、絞り部４４の形成位置において、左リム通水路３２Ｌの水路高さをＨ０としたとき、左リム通水路３２Ｌの内上面からの高さ寸法Ｈ１が水路高さＨ０の１／２以上となるように形成される。絞り部４４の壁部分４４ａは、左リム通水路３２Ｌの上内面からの高さ寸法Ｈ１が水路高さＨ０の３／４以上となるように形成されてもよい。
【００５７】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００５８】
水洗大便器１０は、洗い落し式、サイホン式等の洗浄方式により便鉢部１４内を洗浄してもよい。水洗大便器１０は、水道直圧式、重力を用いた重力給水式等の給水方式が用いられてもよい。便器本体１２は壁掛け式便器を例に説明したが、トイレ室の床面上に設置される床置き式便器でもよい。また、便器本体１２は陶器の他に樹脂等を素材としてもよい。
【００５９】
左リム通水路３２Ｌ、右リム通水路３２Ｒは共通通水路３４の下流端部から分岐して形成される例を説明したが、これらは別々に分離して形成されてもよい。
【００６０】
ジェット吐出孔３８は便鉢部１４の底部に形成される例を説明したが、排水通路部１６のトラップ部２０に形成されてもよい。この場合、ジェット吐出孔３８から吐き出される洗浄水により、トラップ部２０の下流側に向かう水流が封水１８に形成され、汚物の排出が促進される。つまり、ジェット吐出孔３８は便鉢部１４の底部または排水通路部１６に形成されていればよい。これらの場合、汚物の排出を促進するための水流が溜水２８又は封水１８に形成されることになる。
【００６１】
ジェット用連通路４０は、ジェット吐出孔３８と左リム通水路３２Ｌを連通する例を説明したが、ジェット吐出孔３８と右リム通水路３２Ｒを連通してもよい。また、ジェット用連通路４０の水導入口４０ｄは、左リム通水路３２Ｌの終端部３２ｂに開口する例を説明したが、リム通水路のリム吐水孔より終端側に開口していればよい。また、ジェット用連通路４０の水導入口４０ｄは左リム通水路３２Ｌの内底面に開口する例を説明した。水導入口４０ｄはリム通水路の内壁面に開口していればよく、リム通水路の内底面の他にも内側面に開口していてもよい。
【００６２】
図６の例では、絞り部４４の通水部分４４ｂは、左リム通水路３２Ｌの内壁面と絞り部４４の壁部分４４ａにより囲まれて形成される例を説明した。この他に、通水部分４４ｂは、図１０に示すように、絞り部４４の壁部分４４ａに切り欠き５６を形成し、その切り欠き５６と左リム通水路３２Ｌの内壁面等によって囲まれて形成されてもよい。また、通水部分４４ｂは、図１０に示すように、複数箇所に形成されていてもよい。この他に、通水部分４４ｂは、絞り部４４の壁部分４４ａに貫通孔を形成し、その壁部分４４ａの貫通孔のみによって形成されてもよい。
【００６３】
図１の例では、左リム通水路３２Ｌに供給される洗浄水を吐き出す第１リム吐水孔３６Ｌは左右中心線ＣＬに対して左側に配置され、右リム通水路３２Ｒに供給される洗浄水を吐き出す第２リム吐水孔３６Ｒは左右中心線ＣＬに対して右側に配置される例を説明した。この他にも、第１リム吐水孔３６Ｌは左右中心線ＣＬに対して右側に配置されてもよいし、第２リム吐水孔３６Ｒは左右中心線ＣＬに対して左側に配置されてもよい。いずれにしても、各リム吐水孔３６Ｌ、３２Ｒの位置は特に限られない。また、リム部２６には更に他のリム吐水孔が形成されてもよい。
【００６４】
図７では各リム通水路３２Ｌ、３２Ｒの内底面に勾配５０、５２を設けることで、各リム吐水孔３６Ｌ、３６Ｒより水導入口４０ｄが低位置に配置されるようにした例を説明した。この他にも、第１リム通水路３２Ｌの第１リム吐水孔３６Ｌから終端側に向けて下り段となる段差を設けることで、第１リム吐水孔３６Ｌより水導入口４０ｄが低位置に配置されてもよい。
【００６５】
また、リム吐水孔３６Ｌ、３６Ｒはリム部２６の内周面に沿って周方向の一方側に向けて洗浄水を吐き出す例を説明した。リム部２６に形成される吐水口は、便鉢部１４内に洗浄水を吐き出すためのものであればよく、洗浄水の吐き出し方向はこれに限られない。たとえば、下向きに洗浄水を吐き出してもよい。
【００６６】
ジェット吐出孔３８は凹部２４の左側かつ前側の壁面に形成される例を説明したが、その位置はこれに限られない。
【００６７】
以上の実施形態、変形例により具体化される発明を一般化すると、以下の技術的思想が導かれる。
【００６８】
前述の課題を解決するための手段に記載の態様の水洗大便器は、前記第１リム通水路には、前記第１リム吐水孔と前記水導入口の間に、洗浄水の流れを絞るための絞り部が形成されてもよい。
この態様によれば、第１リム通水路の絞り部より始端側にある水路部分の方が、絞り部より終端側にある水路部分よりも、早期に洗浄水が満たされ易くなる。よって、絞り部より始端側にある水路部分の洗浄水による水圧を早期に高めることができ、その水路部分から第１リム吐水孔を通して高水圧の洗浄水を早期に吐き出せるようになる。
【００６９】
前述の態様の水洗大便器は、前記水導入口は、前記第１リム吐水孔より低位置に少なくとも一部が配置されてもよい。
この態様によれば、第１リム通水路内の残留水を、第１リム吐水孔より低位置にある水導入口を通して排出し易くなり、第１リム吐水孔を通して便鉢部内に流れる水の量を減らし易くなる。これにより、第１リム吐水孔から便鉢部の内面をすじ状水が流れ落ちるのを防止できる。
【００７０】
前述の態様の水洗大便器は、前記水導入口は、前記第１リム吐水孔より低位置に少なくとも一部が配置され、前記絞り部は、前記第１リム通水路の内底面上を伝わる残留水を、前記第１リム吐水孔側から前記水導入口側に向けて導水可能な形状であってもよい。
この態様によれば、第１リム通水路内の残留水が絞り部に対して第１リム吐水孔側から水導入口側に淀みなく流れ易くなる。よって、第１リム通水路に絞り部が形成される場合でも、第１リム通水路内の残留水を連通路を通して排出し易くなる。これにより、第１リム吐水孔から便鉢部の内面をすじ状水が流れ落ちるのを効果的に防止できる。
【００７１】
前述の態様の水洗大便器は、前記第１リム通水路の内底面には、前記第１リム吐水孔から奥側に向かうにつれて下り傾斜となる勾配が設けられてもよい。
この態様によれば、第１リム通水路内の残留水を自重によって水導入口まで導き易くなり、第１リム吐水孔を通して便鉢部内に流れる水の量を減らし易くなる。これにより、第１リム吐水孔から便鉢部の内面をすじ状水が流れ落ちるのを効果的に防止できる。
【００７２】
前述の態様の水洗大便器は、前記絞り部は、該絞り部に対して始端側の水路部分と、該絞り部に対して終端側の水路部分との間で、これらの上側領域を通る流体の流れを遮る壁部分を有してもよい。
始端側水路部分が先に洗浄水で満たされ、終端側水路部分の上側領域に空気が残る場合を考える。この場合、本態様によれば、絞り部の通水部分から見て終端側には空気ではなく洗浄水が存在し易い状態になる。よって、この状態のままで絞り部を通して終端側水路部分に洗浄水が流れ込んだとしても、終端側水路部分内の空気が洗浄水に巻き込まれ難くなり、連通路に空気が流れ込み難くなる。このため、第１リム通水路に絞り部を形成した場合でも、吐出孔からの気泡の吐き出しを防止できる。
【００７３】
前述の態様の水洗大便器は、前記第１リム吐水孔は、前記便器本体の左右一方側に配置され、前記水導入口は、前記便器本体の左右一方側にて前記第１リム吐水孔より該便器本体の前方側に配置されてもよい。
【００７４】
なお、以上の実施形態、変形例には、以下の項目に記載の発明が含まれているともいえる。
［項目］
リム部が上端部に形成される便鉢部と、
前記リム部の外周側に形成される第１リム通水路と、
前記第１リム通水路内から前記便鉢部内に洗浄水を吐水するための第１リム吐水孔と、
前記便鉢部の底部、又は、該底部に接続される排水通路部に形成される吐出孔と、
前記第１リム通水路と前記吐出孔を連通する連通路と、を備え、
前記第１リム吐水孔は、前記第１リム通水路の始端側より終端側に向かう経路の途中位置から分岐して形成され、
前記連通路の水導入口は、前記第１リム吐水孔より前記第１リム通水路の終端側に開口し、
前記第１リム通水路には、前記第１リム吐水孔と前記水導入口の間に、洗浄水の流れを絞るための絞り部が形成されることを特徴とする水洗大便器。
【符号の説明】
【００７５】
１０…水洗大便器、１４…便鉢部、１６…排水通路部、２６…リム部、３２Ｌ…左リム通水路（第１リム通水路）、３２Ｒ…右リム通水路（第２リム通水路）、３６Ｌ…左リム吐水孔（第１リム吐水孔）、３６Ｌ…右リム吐水孔（第２リム吐水孔）、３８…ジェット吐出孔（吐出孔）、４０…ジェット用連通路（連通路）、４０ｄ…水導入口、４４…絞り部、５０…勾配、５２…勾配。
【図１】
0006389150.tif 000002
【図２】
0006389150.tif 000003
【図３】
0006389150.tif 000004
【図４】
0006389150.tif 000005
【図５】
0006389150.tif 000006
【図６】
0006389150.tif 000007
【図７】
0006389150.tif 000008
【図８】
0006389150.tif 000009
【図９】
0006389150.tif 000010
【図１０】
0006389150.tif 000011